(57)【特許請求の範囲】
【請求項１】
柄体の先端面に刃が植設された彫刻刀本体と、前記柄体の先端に装着されて前記刃の刃先を包囲するガード部を有する刃先カバーとからなる彫刻刀において、
前記柄体の先端面であって前記刃の根本の周囲に、該先端面から刃に沿って台座部が膨出形成されるとともに該台座部の周囲に２箇所に亘って係合溝が形成され且つこれら係合溝にそれぞれ係合部が形成される一方、前記刃先カバーの基端部に前記台座部の外周面と嵌合する嵌合部が設けられるとともに該嵌合部の内周面に前記各係合溝とそれぞれ係合し且つ前記各係合部とそれぞれ係止される係合突起が形成され、
前記台座部の係合溝と刃先カバーの係合突起とが係合するとともに係合溝における係合部に刃先カバーの係合突起が係止されることにより、又は、前記係合部と前記係合突起との係止が解除されるとともに係合溝と係合突起との係合が解除されることにより、柄体の先端に刃先カバーが着脱可能に装着されたことを特徴とする彫刻刀。
【請求項２】
柄体の先端面に刃が植設された彫刻刀本体と、前記柄体の先端に装着されて前記刃の刃先を包囲するガード部を有する刃先カバーとからなる彫刻刀において、
前記柄体の先端面であって前記刃の根本の周囲に、該先端面から刃に沿って台座部が膨出形成されるとともに該台座部の外周面に前記刃の両側面と対応して一対のノッチが設けられる一方、前記刃先カバーの基端部に前記台座部の外周面と嵌合する嵌合部が設けられ、該嵌合部の内側面に前記ノッチと係合するツメが設けられるとともに該嵌合部の拡開動作を補助する切欠きが設けられ、前記台座部のノッチと刃先カバーのツメとが係合又は該係合が解除されることにより、柄体の先端に刃先カバーが着脱可能に装着されたことを特徴とする彫刻刀。
【請求項３】
柄体の先端面に刃が植設された彫刻刀本体と、前記柄体の先端に装着されて前記刃の刃先を包囲するガード部を有する刃先カバーとからなる彫刻刀において、
前記柄体の先端面であって前記刃の根本の周囲に溝部が形成されるとともに該溝部内に係合部が設けられる一方、前記刃先カバーの基端部に前記溝部内に挿入される段差部が設けられるとともに該段差部に前記係合部と係合するツメが設けられ、前記柄体の溝部内に刃先カバーの段差部が挿入され溝部内の係合部と段差部のツメとが係合又は該係合が解除されることにより、柄体の先端に刃先カバーが着脱可能に装着されたことを特徴とする彫刻刀。
【請求項４】
柄体の先端面に刃が植設された彫刻刀本体と、前記柄体の先端に装着されて前記刃の刃先を包囲するガード部を有する刃先カバーとからなる彫刻刀において、
前記柄体の先端面であって前記刃の根本の周囲に溝部が形成されるとともに該溝部に貫通する貫通孔が柄体の先端部に設けられる一方、前記刃先カバーの基端部に前記溝部内に挿入される段差部が設けられるとともに該段差部から前記貫通孔と係合するフックを有する係止杆が延出され、前記柄体の溝部内に刃先カバーの段差部が挿入され柄体の前記貫通孔と段差部の前記係止杆のフックとが係合又は該係合が解除されることにより、柄体の先端に刃先カバーが着脱可能に装着されたことを特徴とする彫刻刀。
【請求項５】
柄体の先端面に刃が植設された彫刻刀本体と、前記柄体の先端に装着されて前記刃の刃先を包囲するガード部を有する刃先カバーとからなる彫刻刀において、
前記柄体の先端面であって前記刃の根本の周囲に溝部が形成されるとともに該溝部の内面に雌ねじ設けられる一方、前記刃先カバーの基端部に前記溝部内に挿入される段差部が設けられるとともに該段差部に前記雌ねじと螺合する雄ねじが設けられ、前記柄体の溝部内に刃先カバーの段差部が挿入され溝部内の雌ねじと段差部の雄ねじとが螺合又は該螺合が解除されることにより、柄体の先端に刃先カバーが着脱可能に装着されたことを特徴とする彫刻刀。
【請求項６】
請求項１〜５のいずれか１項に記載の彫刻刀において、
前記柄体の先端に前記刃先カバーが装着された際、柄体の先端面と刃先カバーの基端面とが当接されることを特徴とする彫刻刀。
【請求項７】
少なくとも三角刃、丸刃、平刃、及び／又は、印刃を備えた彫刻刀セットであって、
三角刃、丸刃及び平刃については請求項１乃至６のいずれか１項に記載の構成とされた彫刻刀とされ、
印刃については、その柄体の構成が請求項１乃至６のいずれか１項に記載の彫刻刀における柄体と同じ構成とされる一方、刃先カバーは、前記ガード部が省かれて基端部のみからなる構成とされた彫刻刀セット。
【発明の詳細な説明】
【技術分野】
【０００１】
本発明は、彫刻刀及び彫刻刀セットに係り、特に小学生が安全に使用することができる彫刻刀及び彫刻刀セットに関する。
【背景技術】
【０００２】
従来から小学校の授業では木板等の彫刻作業が行われており、大半の小学生がこの授業で初めて彫刻刀を使用する。そのため、彫刻刀の正しい使い方を習得していない小学生にとって、この彫刻刀作業は大変危険である。特に、深く彫り込み、すくい上げて使用する三角刃や丸刃等を使用した作業は小学生にとって難しく、力を加えた彫刻刀の刃先が被彫刻物を押さえている手を突いて怪我をすることが頻繁に起こっていた。
【０００３】
そこで、小学生が安全に使用するために考えられた彫刻刀として、刃先の前方向を２箇所で屈曲した三面を有するカバーで覆い、このカバーと一体になったサックを彫刻刀の柄に嵌め込んで使用する安全彫刻刀（特許文献１参照）が提案されている。この他にも、特許文献１の安全彫刻刀よりもカバーの取付け状態を安定させ、カバーが不測に脱落することを防ぐ構造とした彫刻刀カバー及び彫刻刀（特許文献２参照）が提案されている。特許文献２の彫刻刀カバーは、彫刻刀の刃を挿通して取付けるための胴部が備えられ、この胴部が刃に固定される構造となっている。
【０００４】
図１５（ａ）は、特許文献２に係る彫刻刀カバーを彫刻刀に装着する前の状態を示す斜視図であり、同図（ｂ）は特許文献２に係る彫刻刀カバーを彫刻刀に装着した状態を示す斜視図である。
【０００５】
彫刻刀カバー１２１は合成樹脂により形成され、直方体形状の胴部１２２、及びこの胴部１２２の両側面から平行に伸びる一対の根幹部１２３、並びにこの根幹部１２３に接続するＵ字型状のループ部１２４で構成される。この胴部１２２の中央に開口１２５が設けられており、この開口１２５の上面に突出片１２６が形成されている。
【０００６】
そして、胴部１２２の両側縁に複数の突起１２７が所定の間隔で設けられており、この彫刻刀カバー１２１が着脱される際に滑り止めの働きを有する。この突起１２７部分の根幹部１２３を摘んで開口１２５に刃１１２を嵌め込み、あるいは引き抜いて彫刻刀カバー１２１が着脱される。この開口１２５に刃１１２が嵌め込まれると、刃１１２はこの突出片１２６と開口１２５の他の辺とにより押圧されて、彫刻刀カバー１２１が刃１１２に固定される。
【０００７】
彫刻刀カバー１２１が刃１１２に固定されると、Ｕ字型のループ部１２４は刃１１２の周囲を囲うように位置する。これにより、被彫刻物を片手で押さえて彫刻し、仮に、刃先１１３がこの押さえている手に向かった場合でも、この手にはループ部１２４が接触するので、刃先１１３が手を突くことがなく、怪我することがない。
【０００８】
また、刃１１２と同一平面上に形成されているループ部１２４が被彫刻物の上面に接触するので、刃先１１３で彫り込むと同時にループ部１２４を滑らせると、一定の深さの彫り溝を形成することができ、彫刻作業を正確に行うことができる。
【特許文献１】実開昭６３−１５４２９８号公報
【特許文献２】特開２００１−３４７７９４号公報
【発明の開示】
【発明が解決しようとする課題】
【０００９】
しかしながら、特許文献1に記載のものにあっては、彫刻刀の柄体の先端部に嵌めることにより装着されるため、柄体の断面形状や大きさが異なる他の彫刻刀には装着することができず、したがって柄体の断面形状や大きさの種類に応じたものを個々に用意する必要があり、その分製作コストが嵩むといった問題があった。
【００１０】
一方、特許文献２に記載のものにあっては、彫刻刀カバー１２１の胴部を刃１１２に固定する構成とされているため、次のような問題があった。すなわち、彫刻刀カバー１２１が刃１１２に確実に固定されるためには、刃１２１の種類毎に異なる彫刻刀カバー１２１が必要となり、それぞれの刃１１２の形状毎に適合する突出片１２６、及び開口１２５が形成されなければならない。このため、当然のことながら、一つの彫刻刀カバー１２１を、刃１１２の種類が異なる複数の彫刻刀本体１１１で共用することができない。このように彫刻刀カバーを種類が異なる彫刻刀間で共用できないと、例えば、一つの種類の彫刻刀カバー１２１が紛失、又は破損した場合に、他の種類の彫刻刀に使用していた彫刻刀カバー１２１で代用することができず、使い勝手が悪い。また、彫刻刀カバー１２１の種類が増えることは、その分生産性の低下を招き、生産コストに悪影響がある。
【００１１】
また、この彫刻刀カバー１２１は開口１２５及び突出片１２６を介して刃１１２に固定されるとともに、不測に刃１１２から脱落しないよう開口１２５及び突出片１２５と刃１１２とが密着状態とされるため、着脱するにはかなりの力を入れて突起１２７部分の根幹部１２３を摘んで引き抜き、あるいは差し込むこと必要がある。したがって、非力な小学生にとって彫刻刀カバー１２１の着脱作業は難しいものであり、またうまく着脱できたとしても、子供のことであるから着脱時に刃１１２で手を突く危険性は払拭できない。
【００１２】
そこで、本発明は、特に小学生が彫刻刀を安全に使用することができるよう、刃先カバーの着脱が容易であると同時に装着時にあっては刃先カバーが彫刻刀本体に確実に固定され、しかも、異なる種類の彫刻刀間で共用可能な刃先カバーを備えた彫刻刀及び彫刻刀セットを提供することを目的とする。
【課題を解決するための手段】
【００１３】
上記課題を解決するために、請求項１の発明に係る彫刻刀は、柄体の先端面に刃が植設された彫刻刀本体と、前記柄体の先端に装着されて前記刃の刃先を包囲するガード部を有する刃先カバーとからなる彫刻刀において、前記柄体の先端面であって前記刃の根本の周囲に、該先端面から刃に沿って台座部が膨出形成されるとともに該台座部の周囲に２箇所に亘って係合溝が形成され且つこれら係合溝にそれぞれ係合部が形成される一方、前記刃先カバーの基端部に前記台座部の外周面と嵌合する嵌合部が設けられるとともに該嵌合部の内周面に前記各係合溝とそれぞれ係合し且つ前記各係合部とそれぞれ係止される係合突起が形成され、前記台座部の係合溝と刃先カバーの係合突起とが係合するとともに係合溝における係合部に刃先カバーの係合突起が係止されることにより、又は、前記係合部と前記係合突起との係止が解除されるとともに係合溝と係合突起との係合が解除されることにより、柄体の先端に刃先カバーが着脱可能に装着されたことを特徴とするものである。
請求項２の発明に係る彫刻刀は、柄体の先端面に刃が植設された彫刻刀本体と、前記柄体の先端に装着されて前記刃の刃先を包囲するガード部を有する刃先カバーとからなる彫刻刀において、前記柄体の先端面であって前記刃の根本の周囲に、該先端面から刃に沿って台座部が膨出形成されるとともに該台座部の外周面に前記刃の両側面と対応して一対のノッチが設けられる一方、前記刃先カバーの基端部に前記台座部の外周面と嵌合する嵌合部が設けられるとともに該嵌合部の内側面に前記ノッチと係合するツメが設けられるとともに該嵌合部の拡開動作を補助する切欠きが設けられ、前記台座部のノッチと刃先カバーのツメとが係合又は該係合が解除されることにより、柄体の先端に刃先カバーが着脱可能に装着されたことを特徴とするものである。
請求項３の発明に係る彫刻刀は、柄体の先端面に刃が植設された彫刻刀本体と、前記柄体の先端に装着されて前記刃の刃先を包囲するガード部を有する刃先カバーとからなる彫刻刀において、前記柄体の先端面であって前記刃の根本の周囲に溝部が形成されるとともに該溝部内に係合部が設けられる一方、前記刃先カバーの基端部に前記溝部内に挿入される段差部が設けられるとともに該段差部に前記係合部と係合するツメが設けられ、前記柄体の溝部内に刃先カバーの段差部が挿入され溝部内の係合部と段差部のツメとが係合又は該係合が解除されることにより、柄体の先端に刃先カバーが着脱可能に装着されたことを特徴とするものである。
請求項４の発明に係る彫刻刀は、柄体の先端面に刃が植設された彫刻刀本体と、前記柄体の先端に装着されて前記刃の刃先を包囲するガード部を有する刃先カバーとからなる彫刻刀において、前記柄体の先端面であって前記刃の根本の周囲に溝部が形成されるとともに該溝部に貫通する貫通孔が柄体の先端部に設けられる一方、前記刃先カバーの基端部に前記溝部内に挿入される段差部が設けられるとともに該段差部から前記貫通孔と係合するフックを有する係止杆が延出され、前記柄体の溝部内に刃先カバーの段差部が挿入され柄体の前記貫通孔と段差部の前記係止杆のフックとが係合又は該係合が解除されることにより、柄体の先端に刃先カバーが着脱可能に装着されことを特徴とするものである。
請求項５の発明に係る彫刻刀は、柄体の先端面に刃が植設された彫刻刀本体と、前記柄体の先端に装着されて前記刃の刃先を包囲するガード部を有する刃先カバーとからなる彫刻刀において、前記柄体の先端面であって前記刃の根本の周囲に溝部が形成されるとともに該溝部の内面に雌ねじ設けられる一方、前記刃先カバーの基端部に前記溝部内に挿入される段差部が設けられるとともに該段差部に前記雌ねじと螺合する雄ねじが設けられ、前記柄体の溝部内に刃先カバーの段差部が挿入され溝部内の雌ねじと段差部の雄ねじとが螺合又は該螺合が解除されることにより、柄体の先端に刃先カバーが着脱可能に装着されたことを特徴とするものである。
【００１４】
本発明によれば、柄体と刃先カバーとの係止が、柄体の先端面であって刃の根本の周囲で行われ、その係止の形態は一定であるから、刃のサイズや種類、及び、柄体の断面形状や大きさが異なっても、刃先カバーを異なる種類の彫刻刀間で共用可能とすることができる。
【００１５】
また、本発明によれば、台座部の係合溝と刃先カバーの係合突起とを係合するとともに係合溝における係合部に刃先カバーの係合突起を係止させることにより、又は、係合部と係合突起との係止を解除するとともに係合溝と係合突起との係合を解除したり、台座部のノッチと刃先カバーのツメとを係合又は該係合を解除したり、柄体の溝部内の係合部と刃先カバーの段差部のツメとを係合又は該係合を解除したり、柄体の貫通孔と刃先カバーの係止杆のフックとを係合又は該係合を解除したり、柄体の溝部内の雌ねじと刃先カバーの段差部の雄ねじとを螺合又は該螺合を解除したり、といった簡単で且つ力が不要な操作で柄体に刃先カバーを装着することができるので、特許文献２記載の発明で見られたような着脱時に力を要する固定手段を採用する必要がなくなる。したがって、刃先カバーの着脱時に勢い余って刃で手を刺す等の事故を防ぐことができ、安全性が従来のものに比べて格段に向上する。
【００１６】
また、上記構成の彫刻刀においては、係止手段及び被係止手段により柄体の先端に刃先カバーが装着された際、柄体の先端面と刃先カバーの基端面とが当接されるようにしてもよい。
【００１７】
その場合、刃先カバーがその基端面を介して柄体の先端面で支持されることから、使用時、特に彫刻時に、刃先カバーに対して大きな力が加わっても、刃先カバーがどの方向にもぐらつくようなことがなく、常に安定して刃先を刃先カバーでガードすることができ、安全性に優れている。
【００１８】
また本発明に係る彫刻刀セットは、少なくとも三角刃、丸刃、平刃、及び／又は、印刃を備えた彫刻刀セットであって、三角刃、丸刃及び平刃については請求項１乃至６のいずれか１項に記載の構成とされた彫刻刀とされ、印刃については、その柄体の構成が請求項１乃至６のいずれか１項に記載の彫刻刀における柄体と同じ構成とされる一方、刃先カバーは、前記ガード部が省かれて基端部のみからなる構成とされたものである。
【００１９】
この構成によれば、刃先カバーが不要な印刃については、ガード部が省かれて基端部のみとされた刃先カバーが装着されるので、これら印刃の製作にあたって三角刃、丸刃及び平刃に使用される柄体と同じ柄体を採用しても、刃の根本周りのデザインを印刃と、三角刃、丸刃及び平刃との間で統一することができ、意匠効果に優れる。
【００２０】
また、すべての種類の刃に一種類の柄体を採用することができることになるので、製造コストを削減することができる。
【００２１】
さらに、彫刻する際にガード部が邪魔になる場合、刃先カバーを外さざるを得なくなるが、そうすると柄体の先端部における握り範囲が刃先カバーの基端部の長さ分だけ短くなる。特に、小学生のような子供は手が小さく力が弱いため、歯の根本の直近を握ろうとし、必然的に柄体の先端部のより刃に近い箇所を握るが、刃先カバーを柄体から外してしまうと、握り位置が刃先カバーの基端部の長さ分刃から遠ざかってしまい、彫りにくくなる。しかし、ガード部を省いた刃先カバーを柄体に装着することによって、上記握り範囲が縮小されることがないため、ガード部を有する刃先カバーを装着した場合と同じ握り位置を提供することができる。
【発明の効果】
【００２２】
本発明によれば、刃先カバーの着脱が容易であると同時に装着時にあっては刃先カバーが彫刻刀本体に確実に固定されるので、取り扱い及び安全性に優れている。特に、小学生にとって安全な彫刻刀を提供することができる。
【００２３】
また、異なる種類の彫刻刀間で刃先カバーを共用することができるので、デザインの統一を図ることができ意匠効果を高めることができるとともに、製造コストを削減することができる。
【発明を実施するための最良の形態】
【００２４】
本発明の実施形態について、図１から図１５を参照して以下、説明する。
【００２５】
図１は、本発明の第１の実施形態に係る柄体に刃先カバーを装着する前の状態を示す全体斜視図であり、図２は、柄体に刃先カバーを装着した状態を示す全体斜視図である。また、図３（ａ）は、本発明の第１の実施形態に係る柄体に刃先カバーを装着した状態の正面図、同図（ｂ）は同平面図、同図（ｃ）は同側面図であり、図４（ａ）は、図３（ａ）でのＡ−Ａ方向から見た断面図、同図（ｂ）は図３（ａ）でのＢ−Ｂ方向から見た断面図である。
【００２６】
本実施形態に係る彫刻刀は、柄体１１の先端面１９に刃４１が植設された彫刻刀本体と、柄体１１の先端に装着されて刃４１の刃先を包囲する可撓性のガード部２３を有する刃先カバー２１とからなる。以下、各構成部分について、説明する。
【００２７】
柄体１１は、先端面１９であって刃４１の根本の周囲に台座部１６が形成され、ＡＢＳ（アクリロニトリル、ブタジエン、スチレン）等の合成樹脂製とエラストマー素材により二重成形されたものである。この柄体１１の形状は、先端面１９から楕円断面を有する中央部１２に至るまで手になじむ形状に曲線で形成され、滑り止め用にエラストマー素材でグリップ部１４が形成されている。さらに、中央部１２から末端部１３にかけて細くなるように曲線で形成され、その結果、柄体１１全体が丸みを帯びたデザインに形成されている。
【００２８】
上記台座部１６の円周側面（外周面）にはＬ字型溝１７が設けられている。また、柄体１１の先端面１９は柄体１１の軸芯に対して垂直な平面であり、後述する刃先カバー２１の基端面２７と当接する。また、Ｌ字型溝１７は台座部１６の円周側面において、刃４１の上下面それぞれの中心軸から円周方向に振り分けた４５度の範囲と、これに連続して台座部１６の端面から直線状に先端面１９に向かって形成された溝が２箇所設けられている。それぞれのＬ字型溝１７の終端部に係合部１８が形成され、この係合部１８に後述する刃先カバー２１のツメ（請求項１の係合突起に相当）２４が係止される。この係合部１８は刃４１の上面と下面とで異なる大きさに設けられているので、装着位置を間違って刃先カバー２１を装着することがなくなる。
【００２９】
刃先カバー２１は、柄体１１と同一素材の合成樹脂により形成され、胴部２２とガード部２３で構成されている。あるいは、この刃先カバー２１は柄体１１と別の素材であってもよい。
【００３０】
この胴部２２は筒体であり、基端面２７は上記した先端面１９に当接するように中心軸に垂直な面で先端面１９と同一の大きさに形成されている。また、刃４１の幅より大きくされた開口２５と基端面２７から胴部２２内面に挿入口２６が設けられ、これらは互いに貫通している。この挿入口２６は台座部１６が嵌入される大きさに設けられ、この挿入口２６の内側面の対向する2箇所の位置にツメ２４が突設されている。これらのツメ２４は、刃４１の上面と下面の２箇所で、基端面２７の中心軸から片側の４５度に突設され、上記したそれぞれの係合部１８に適合するようにそれぞれが異なった大きさに形成されている。
【００３１】
そして、これらのツメ２４が係合部１８に嵌り合うと、胴部２２の開口２５で刃４１の両側面位置それぞれから同一面上に延出されたガード部２３が刃先４２の位置で刃４１を包囲する。本実施形態では、このガード部２３を有する彫刻刀カバー２１は危険を伴うことが多い丸刃、あるいは三角刃の刃先４２を包囲する形状に屈曲されている。そして、ガード部２３の付け根部分には、例えば、エラストマー素材等の滑りにくい素材で摘み部２９が形成されている。
【００３２】
次に、この刃先カバー２１の装着方法と使用方法について、以下、詳述する。
【００３３】
刃先カバー２１を柄体１１に装着するには、刃４１を開口２５に挿入し、台座部１６に２箇所に設けられたＬ字型溝１７のそれぞれの端部にツメ２４を差し込む。そして、台座部１６の端面４４から柄体１１の先端面１９に向かってこのツメ２４を滑らせると、刃先カバー２１の基端面２７が柄体１１の先端面１９に当接するとともに、挿入口２６に台座部１６が嵌め込まれる。次に、刃先カバー２１の胴部２２をＬ字型溝１７の円周方向に沿って回動させ、Ｌ字型溝１７の終端に設けられた係合部１８に係止させると、刃先カバー２１が柄体１１に固定される。これにより、刃先カバー２１は柄体１１で確実に位置が固定されて容易に外れることがなくなる。
【００３４】
彫刻時に、被彫刻物表面に対して刃４１が斜め方向に彫り込まれると、ガード部２３が被彫刻物表面に当接する。そして、刃先４２が被彫刻物を彫り込むと、ガード部２３が適度に撓んで被彫刻物表面上を滑り、仮に被彫刻物を押さえた手に刃先４２が突進してもガード部２３によりこの手は防御される。また、刃４１はこのガード部２３に干渉されることがなく目的の方向に彫刻することができる。この時、刃先カバー２１の胴部２２は台座部１６に嵌入されており、彫り込んだ力に対する反力が刃先カバー２１の基端面２７から伝達されて柄体１１の先端面１９を押圧するため、刃先カバー２１はがたつくことなく安定して固定される。
【００３５】
柄体１１から刃先カバー２１を取り外すには、始めに胴部２２の摘み部２９を摘んで回動させて係合部１８からツメ２４を外す。そして、Ｌ字型溝１７に沿って円周方向にさらに回動させてツメ２４がＬ字型溝１７の折曲位置に到達したら台座部１６から刃先カバー２１を引き抜く。これにより、柄体１１から刃先カバー２１が容易に取り外される。
【００３６】
図５は、本発明に係る第２の実施形態を示す全体斜視図であり、同図（ａ）は刃先カバーを柄体に装着する前の状態、同図（ｂ）は刃元カバーを柄体に装着した状態である。なお、本実施形態は第１の実施形態と刃先カバー３１の胴部２２と全体の形状が異なるだけであるので、同一の構成部分については同一の符号を付し、その説明を省略して異なる部分のみを以下、説明する。
【００３７】
本実施形態に係る彫刻刀は、刃先カバー３１の胴部２２の外形が半球状であり、台座部１６の段差にこの基端面２７の外径と同一形状の円形平面となる先端面１９が設けられている。そして、刃４１を挿入する開口２５は刃４１の外形よりも僅かに大きい円形である。刃先カバー３１が装着されると、胴部２２からグリップ部１４にかけて連続した曲線が形成されて、全体的に丸みを帯びたデザイン性の高い彫刻刀となる。
【００３８】
図６は、本発明に係る第３の実施形態を示す全体斜視図であり、（ａ）は刃先カバーを柄体に装着する前の状態で、（ｂ）は刃元カバーを柄体に装着した状態である。なお、本実施形態は第１の実施形態と刃先カバー２１の係止手段の構造が異なるだけであるので、同一の構成部分については同一の符号を付し、その説明を省略して異なる部分のみを以下、説明する。
【００３９】
本実施形態に係る彫刻刀は、柄体１１の台座部１６で刃４１の両側面位置それぞれにノッチ３７が設けられている。また、刃先カバー３５の胴部２２は楕円断面を有する円錐台形状であり、柄体１１に形成された楕円形状の先端面１９に適合する基端面２７が設けられている。刃４１を挿入する開口２５は長方形であり、その大きさは刃４１の外形よりも大きく形成されている。胴部２２の外側面には、刃元４３の上下面の２箇所に基端面２７から切欠き３６が設けられている。また、図示は省略するが、胴部２２の内側面であってガード部２３の付け根位置にツメが上記ノッチ３７に対応して突設されている。
【００４０】
これら柄体１１と刃先カバー３５の着脱は、刃先カバー３５のガード部２３の付け根部分を摘み胴部２２の内側面のツメ同士の間隔を拡開することにより行う。このとき、胴部２２には上記したように切欠き３６が設けられているため、上記拡開動作は容易に行える。
【００４１】
次に、第１から第３の実施形態とは係止手段が異なる第４と第５の実施形態について以下、説明する。
【００４２】
図７は、本発明の第４の実施形態の刃先カバーを柄体に装着する前の状態の全体斜視図である。図８（ａ）は、本発明の第４の実施形態に係る柄体に刃先カバーを装着した状態の正面図、同図（ｂ）は同平面図、同図（ｃ）は同側面図であり、図９（ａ）は、図７（ａ）でのＣ−Ｃ方向から見た断面図、同図（ｂ）は図７（ａ）でのＤ−Ｄ方向から見た断面図である。
【００４３】
本実施形態に係る彫刻刀は、柄体１１の端面に溝部１５が形成されるとともにこの溝部１５内に係合部１８が設けられ、刃先カバー５１が溝部１５で嵌脱自在に係合される構造となっている。なお、本実施形態は第１の実施形態と同一の構成部分については同一の符号を付し、その説明を省略して異なる部分のみを以下、説明する。
【００４４】
本実施形態に係る彫刻刀は、柄体１１の先端面４４であって刃４１の根本の周囲に溝部１５が形成されるとともに、この溝部１５の内面にＬ字型溝１７と係合部１８が設けられている。また、刃先カバー５１の胴部２２には段差部５２が設けられ、この段差部５２の外側面にツメ２４が突設されている。そして、柄体１１の溝部１５内に刃先カバー５１の段差部５２が挿入されツメ２４が溝部１５内の係合部１８と係止されることにより、柄体１１の先端に刃先カバー５１が固定される。
【００４５】
図１０は、本発明の第５の実施形態の刃先カバーを柄体に装着する前の状態の全体斜視図である。図１１（ａ）は、本発明の第５の実施形態に係る柄体に刃先カバーを装着した状態の正面図、同図（ｂ）は同平面図、同図（ｃ）は同側面図であり、図１２（ａ）は、図１１（ａ）でのＥ−Ｅ方向から見た断面図、同図（ｂ）は図１２（ａ）でのＦ−Ｆ方向から見た断面図である。なお、本実施形態は第４の実施形態と同一の構成部分については同一の符号を付し、その説明を省略して異なる部分のみを以下、説明する。
【００４６】
本実施形態に係る彫刻刀は、柄体１１の先端部分の外周面であって刃４１の上下面それぞれに対応する側に、それぞれ溝部１５に貫通する貫通孔５７が設けられている。これら貫通孔５７は、柄体１１の先端面４４から溝部１５内面に形成された案内溝５６に繋がっている。また、刃先カバー５５には刃４１の上下面にあたるそれぞれの位置で、段差部５２の端面からフック５９を有する係止杆５８が延出されている。これらのフック５９を案内溝５６に沿って嵌め込んで柄体１１の貫通孔５７に係合させると、刃先カバー５５の基端面２７が柄体１１の先端面４４と当接した状態で刃先カバー５５が柄体１１の先端に固定される。刃先カバー５５を取り外す際は、柄体１１の貫通孔５７から突出したフック５９を押さえてフック５５を貫通孔５７から離脱させるとともに刃先カバー５５を柄体１１から引き外すようにすることで、刃先カバー５５が柄体１１から容易に取り外される。
【００４７】
次に、係止手段と被係止手段を螺合手段で構成した第６及び第７の実施形態について以下説明する。
【００４８】
図１３（ａ）は、本発明に係る彫刻刀の参考例を示す斜視図であり、同図（ｂ）は、本発明に係る第６の実施形態の刃先カバーを柄体に装着する前の状態を示す斜視図である。
【００４９】
図１３（ａ）に示す参考例は、台座部１６の外周面に雄ねじ６２が設けられる一方、刃先カバー６１の挿入口２６の内周面に前記雄ねじ６２と螺合する雌ねじ６３が設けられたものである。この参考例にあっては、刃４１を刃先カバー６１の挿入口２６に挿入するとともに、雄ねじ６２と雌ねじ６３とを螺合させることにより刃先カバー６１が柄体１１に装着され、装着を完了した時点で刃４１の側面にガード部２３が位置するように、上記雄ねじ６２と雌ねじ６３のピッチが設定されている。
【００５０】
第６の実施形態は、刃先カバー６５の段差部５２に雄ねじ６６が設けられる一方、柄体１１の溝部１５に前記雄ねじ６６と螺合する雌ねじ６７が設けられたものである。この場合も、参考例と同様の手順で雄ねじ６６と雌ねじ６７とを螺合させることにより、刃先カバー６５が柄体１１に装着される。
【００５１】
なお、上記した第１から第６のいずれの実施形態及び参考例にあっても、必ずしも柄体１１の先端面１９，４４と刃先カバー２１，３１，３５，５１，５５，６１，６５の基端面２７とが、装着状態において当接しなくてもよく、両者間に隙間が介在してもよい。いずれにせよ、係止手段と被係止手段が係止されてさえいれば、刃先カバー２１，３１，３５，５１，５５，６１，６５が柄体１１に確実に装着されている。
【００５２】
次に、本発明に係る彫刻刀セットについて説明するが、三角刃、丸刃及び平刃は上記した各実施の形態の通りであるので、ここではそれらと異なる印刃について、以下、説明する。
【００５３】
小学生が使用する彫刻刀として上記した三角刃、丸刃、平刃の他に印刃があり、これらの種類の彫刻刀は、通常彫刻刀セットとして使用される。そのため、これらの彫刻刀はデザイン性あるいは生産性から考えて、統一した形状、構造にすることが望ましい。
【００５４】
そこで、本発明に係る彫刻刀セットは、各種柄体１１の係止手段を同一構造にして、三角刃、丸刃は上記した刃先カバー２１が装着され、刃先カバー２１が不要となる平刃、印刃には刃元キャップ７１が装着される。この刃元キャップ７１は、柄体１１における握り位置を、刃先カバー２１が装着された時の握り位置と同じになるようにして、握り易くするために装着される。
【００５５】
図１４は、柄体に刃元キャップを装着した彫刻刀の全体斜視図である。また、図１５（ａ）は、柄体に刃元キャップを装着した状態の正面図、同図（ｂ）は同平面図、同図（ｃ）は同側面図である。本実施形態において、第１の実施形態と同一の構成部分については同一の符号を付し、その説明を省略して異なる部分のみを以下、説明する。
【００５６】
刃元キャップ７１は、胴部２２のみで構成されており、ガード部２３（図１、３参照）のない点で刃先カバー２１と異なる。そして、係止手段は刃先カバー２１の第１の実施形態のそれと同一の構造である。
【００５７】
この場合、刃先カバー２１及び刃元キャップ７１が相互に交換自在となり、例えば、一つの種類の刃先カバー２１を紛失しても、他種の彫刻刀に装着した刃先カバー２１を代わりに装着することができる。また、彫刻作業の際、刃先カバー２１のガード部２３が邪魔になる場合、刃先カバー２１を取り外しても刃先カバー２１を装着した場合と同じ握り位置を提供するためにこの刃先カバー２１に替えて刃元キャップ７１に取り替えることが可能である。
【００５８】
なお、柄体１１の係止手段と刃元キャップ７１の被係止手段とは、第１の実施形態に示した例に限らず、第２から第７の各実施形態のものであってもよい。
【図面の簡単な説明】
【００５９】
【図１】本発明の第１の実施形態に係る柄体に刃先カバーを装着する前の状態を示す全体矢視図である。
【図２】本発明の第１の実施形態に係る柄体に刃先カバーを装着した状態を示す全体斜視図である。
【図３】本発明の第１の実施形態に係る柄体に刃先カバーを装着した状態を示し、（ａ）は正面図、（ｂ）は平面図、（ｃ）は側面図である。
【図４】（ａ）は、図３（ａ）でのＡ−Ａ方向から見た断面図、（ｂ）は図３（ａ）でのＢ−Ｂ方向から見た断面図である。
【図５】本発明に係る第２の実施形態を示し、（ａ）は刃先カバーを柄体に装着する前の状態の全体斜視図、（ｂ）は刃元カバーを柄体に装着した状態の全体斜視図である。
【図６】本発明に係る第３の実施形態を示し、（ａ）は刃先カバーを柄体に装着する前の状態の全体斜視図、（ｂ）は刃元カバーを柄体に装着した状態の全体斜視図である。
【図７】本発明の第４の実施形態に係る柄体に刃先カバーを装着する前の状態を示す全体斜視図である。
【図８】本発明の第４の実施形態に係る柄体に刃先カバーを装着した状態を示し、（ａ）は正面図、（ｂ）は平面図、（ｃ）は側面図である。
【図９】（ａ）は、図８（ａ）でのＣ−Ｃ方向から見た断面図、（ｂ）は図８（ａ）でのＤ−Ｄ方向から見た断面図である。
【図１０】本発明の第５の実施形態に係る柄体に刃先カバーを装着する前の状態を示す全体斜視図である。
【図１１】本発明の第５の実施形態に係る柄体に刃先カバーを装着した状態を示し、（ａ）は正面図、（ｂ）は平面図、（ｃ）は側面図である。
【図１２】（ａ）は、図１１（ａ）でのＥ−Ｅ方向から見た断面図、（ｂ）は図１１（ａ）でのＦ−Ｆ方向から見た断面図である。
【図１３】（ａ）は、本発明の参考例を示す斜視図、（ｂ）は、本発明の第６の実施形態に係る柄体に刃先カバーを装着する前の状態を示す斜視図である。
【図１４】本発明に係る彫刻刀セットにおける刃元キャップ（ガード部を省いた刃先カバー）を装着する前の状態を示す彫刻刀の全体斜視図である。
【図１５】（ａ）は、図１４に示す彫刻刀の正面図、（ｂ）は同平面図、（ｃ）は同側面図である。
【図１６】（ａ）は、従来（特許文献２）の彫刻刀カバーを彫刻刀に装着する前の状態を示す斜視図、同図（ｂ）はその彫刻刀カバーを彫刻刀に装着した状態を示す斜視図である。
【符号の説明】
【００６０】
１１  柄体
１５  溝部
１６  台座部
１７  Ｌ字型溝
１８  係合部
１９  先端面
２１  刃先カバー
２２  胴部
２３  ガード部
２４  ツメ
２７  基端面
４１  刃
４２  刃先
４３  刃元
７１  刃元キャップ
【図１】
0004224519.tif 000002
【図２】
0004224519.tif 000003
【図３】
0004224519.tif 000004
【図４】
0004224519.tif 000005
【図５】
0004224519.tif 000006
【図６】
0004224519.tif 000007
【図７】
0004224519.tif 000008
【図８】
0004224519.tif 000009
【図９】
0004224519.tif 000010
【図１０】
0004224519.tif 000011
【図１１】
0004224519.tif 000012
【図１２】
0004224519.tif 000013
【図１３】
0004224519.tif 000014
【図１４】
0004224519.tif 000015
【図１５】
0004224519.tif 000016
【図１６】
0004224519.tif 000017